(57)【要約】      （修正有）【課題】トイレ用脱臭装置のフィルタに対して、これまで除去できなかった部分まで粉塵を除去することができるトイレ用脱臭装置を提供する。【解決手段】トイレ用脱臭装置は、ハウジング１２２と、ハウジング１２２に設けられた吸気口２０５と、ハウジング１２２に設けられ、吸気口２０５と連通する排気口と、ハウジング１２２内で吸気口２０５と排気口の間に設けられた吸気ファンと、吸気ファンと吸気口２０５の間に設けられた粉塵集塵手段として網目状に開口されたフィルタ２１５と、フィルタ２１５を掃除する掃除手段２３２と、フィルタ２１５及び掃除手段２３２の少なくとも一方を、他方に対して移動する移動手段と、を備える。【選択図】図４
2016151089.tif 000002
【特許請求の範囲】
【請求項１】
ハウジングと、
前記ハウジングに設けられた吸気口と、
前記ハウジングに設けられ、前記吸気口と連通する排気口と、
前記ハウジング内で前記吸気口と前記排気口の間に設けられた吸気ファンと、
前記吸気ファンと前記吸気口の間に設けられた網目状に開口されたフィルタと、
前記フィルタを掃除する掃除手段と、
前記フィルタ及び前記掃除手段の少なくとも一方を、他方に対して移動する移動手段と、
を備えるトイレ用脱臭装置。
【請求項２】
前記フィルタは端同士が繋がったロール状であり、
前記移動手段は、前記フィルタを自転させる、
請求項１に記載のトイレ用脱臭装置。
【請求項３】
前記掃除装置は、前記フィルタの回転軸よりも下側に位置する、
請求項２に記載のトイレ用脱臭装置。
【請求項４】
前記掃除手段は、前記掃除手段は前記フィルタと接触するブラシ部またはスポンジ部を備える、
請求項１〜３の何れか１項に記載のトイレ用脱臭装置。
【請求項５】
前記掃除手段は、前記フィルタに向けて水を噴射する水供給部を備える、
請求項１〜４の何れか１項に記載のトイレ用脱臭装置。
【請求項６】
汚物を受けるボウル部を有し、前記ハウジングが上に設けられる便器と、
前記便器を洗浄するための便器洗浄手段と、
前記便器洗浄手段を制御して、前記ボウル部を洗浄して排水する制御部と、
を備え、
前記吸気口は、前記ボウル部と対向し、且つ、前記掃除手段は、前記吸気口と対向し、
前記制御部は、前記掃除手段が動作した後、前記便器洗浄装置を制御して前記ボウル部を洗浄し排水する、
請求項１〜５の何れか１項に記載のトイレ用脱臭装置。
【請求項７】
前記掃除装置の下部に設けられた粉塵貯蔵手段と、
前記粉塵貯蔵手段を制御することにより前記粉塵貯蔵手段に貯蔵した粉塵を便器内から除去させる制御部と、
を備える請求項１〜６の何れか１項に記載のトイレ用脱臭装置。
【請求項８】
請求項１〜７の何れか１項に記載のトイレ用脱臭装置と、
水を噴射するノズルと、
前記ノズルを移動させる移動機構と、
を備え、
前記移動手段は、前記ノズルの移動及び前記移動機構の何れか一方を利用して、前記フィルタ及び前記掃除手段の少なくとも一方を、他方に対して移動する、
衛生洗浄装置。
【発明の詳細な説明】
【技術分野】
【０００１】
本発明は、トイレ用脱臭装置及び衛生洗浄装置に関する。
【背景技術】
【０００２】
従来から、例えば便器のボウル内の臭気を吸気し、脱臭した空気を排気するトイレ用脱臭装置が知られている。
【０００３】
このトイレ用脱臭装置では、吸引口にフィルタを設けることにより、吸引ファンがトイレットペーパーの粉塵や埃を吸い込まないようにしている。
【０００４】
しかし、便器内の湿度の高い空間にあるためフィルタに粉塵が付着・累積しやすくなり、フィルタの目詰まりが発生し、トイレ用脱臭装置の吸引ファンは、空気を吸引できなくなったり、空気を吸引しにくくなったりするおそれがある。
【０００５】
そうすると、トイレ用脱臭装置の脱臭性能が低下するおそれがある。
【０００６】
そのため、特許文献１では、フィルタに付着した粉塵を、水を噴射することにより洗い落としている。
【先行技術文献】
【特許文献】
【０００７】
【特許文献１】特開２０１１−６９７０号公報
【発明の概要】
【発明が解決しようとする課題】
【０００８】
しかしながら、特許文献１に記載の構造では、フィルタの隅や、水がかからない背面部等、粉塵を取れない部分があった。
【０００９】
そこで、本発明は、上述した課題を解決するためになされたものであり、トイレ脱臭装置のフィルタに対して、これまで除去できなかった部分まで粉塵を除去することができるトイレ用脱臭装置及び衛生洗浄装置を提供することを目的の一つとしている。
【課題を解決するための手段】
【００１０】
本発明の第１態様に係るトイレ用脱臭装置は、ハウジングと、前記ハウジングに設けられた吸気口と、前記ハウジングに設けられ、前記吸気口と連通する排気口と、前記ハウジング内で前記吸気口と前記排気口の間に設けられた吸気ファンと、前記吸気ファンと前記吸気口の間に設けられた粉塵集塵手段として網目状に開口されたフィルタと、前記フィルタを掃除する掃除手段と、前記フィルタ及び前記掃除手段の少なくとも一方を、他方に対して移動する移動手段と、を備える。
【００１１】
この構成によれば、掃除手段によって粉塵を除去するときに、移動手段によりフィルタ及び掃除手段の少なくとも一方を、他方に対して移動することにより、掃除手段がフィルタに対して移動しながら掃除することができるので、トイレ脱臭装置のフィルタに対して、これまで除去できなかった部分まで粉塵を除去することができる。
【００１２】
本発明の第２態様に係るトイレ用脱臭装置では、第１様態において、前記フィルタは端同士が繋がったロール状であり、前記移動手段は、前記フィルタを自転させる。
【００１３】
この構成によれば、移動手段がフィルタを自転させることで、吸気口に対向するフィルタの面と、排気口と対向するフィルタ面を共に掃除することができる。なお、従来は、粉塵をフィルタよりも内部に通さないためにフィルタの開口は小さくしており、また、風路として極端な圧損にならないように開口を設計している。この構成によれば、フィルタをロール状にすることにより、風路でフィルタを２度通ることになるので、例えばフィルタの網目の開口を大きくすることもできる。これにより、フィルタの成形性や金型の磨耗性が良くなる。
【００１４】
本発明の第３態様に係るトイレ用脱臭装置では、第２態様において、前記掃除手段は前記フィルタの下側に位置する。
【００１５】
風の流れの方向により、フィルタには吸気側かつロール状の外側に粉塵が付きやすい。この構成によれば、吸気側のフィルタは掃除手段を通るときに粉塵がこそぎ落とされ、フィルタに粉塵が付いていない状態となって排気側に移動していく。これにより、付着した粉塵が吸気ファンに吸い込まれることを防ぐことができる。
【００１６】
本発明の第４態様に係るトイレ用脱臭装置では、第１〜３態様の何れか１態様において、前記掃除手段は前記フィルタと接触するブラシ部、またはスポンジ部を備える。
【００１７】
この構成によれば、ブラシ部またはスポンジ部がフィルタに接触することにより、付着した粉塵とも接触し、フィルタに付着した粉塵をこそぎ落とすことができる。
【００１８】
本発明の第５態様に係るトイレ用脱臭装置では、第１〜４態様の何れか１態様において、前記掃除手段は前記フィルタに向けて水を噴射する水供給部を備える。
【００１９】
この構成によれば、フィルタに付着した粉塵を水で浮かして洗い流すことによって、清掃することができる。
【００２０】
本発明の第６態様に係るトイレ用脱臭装置では、第１〜５態様の何れか１つの態様のトイレ用脱臭装置において、汚物を受けるボウル部を有し、前記ハウジングが上に設けられる便器と、前記便器を洗浄するための便器洗浄手段と、前記ボウル部を洗浄して排水する制御部と、を備え、前記吸気口は、前記ボウル部と対向し、且つ、前記掃除手段は、前記吸気口と対向し、前記制御部は、前記掃除手段が動作した後、前記便器洗浄装置を制御して前記ボウル部を洗浄し排水する。
【００２１】
この構成によれば、便器洗浄装置を制御し、便器内に残った粉塵と便器内の水を排水することにより、使用者が使用するときに便器内に粉塵が残っていない状態にすることができる。
【００２２】
本発明の第７態様に係るトイレ用脱臭装置では、第１〜６態様の何れか１態様において、前記掃除装置の下部に設けられた粉塵貯蔵手段と、前記便器洗浄装置が動作する前に、前記粉塵貯蔵手段を制御することにより前記粉塵貯蔵手段に貯蔵した粉塵を便器内から除去させる制御部と、を備える。
【００２３】
この構成によれば、掃除手段でこそぎ取った粉塵を粉塵貯蔵手段に貯蔵し、粉塵がボウル内を舞うことが無く、粉塵を一塊にした状態で便器内に落とすことができる。
【００２４】
本発明の第８態様に係る衛生洗浄装置は、第１〜７態様の何れか１つの態様のトイレ用脱臭装置と、水を噴射するノズルと、前記ノズルを移動させる移動機構と、を備え、前記移動手段は、前記ノズルの移動及び前記移動機構の何れか一方を利用して、前期フィルタ及び前記掃除手段の少なくとも一方を、他方に対して移動する。
【００２５】
この構成によれば、移動手段として、新たな移動装置を設けなくてよいので、製造コストを低減することができる。
【発明の効果】
【００２６】
本発明のトイレ用脱臭装置によれば、トイレ脱臭装置のフィルタに対して、これまで除去できなかった部分まで粉塵を除去することができる。
【図面の簡単な説明】
【００２７】
【図１】本発明の第１実施形態に係るトイレ用脱臭装置を模式的に示す斜視図である。
【図２】本発明の第１実施形態に係るトイレ用脱臭装置を模式的に表す正面図である。
【図３】本発明の第１実施形態に係るトイレ用脱臭装置を模式的に表すブロック図である。
【図４】本発明の第１実施形態に係るトイレ用脱臭装置を模式的に表す断面図である。
【図５】第２実施形態に係るトイレ用脱臭装置を模式的に表すブロック図である。
【図６】第２実施形態の脱臭装置が動作している状態を表す断面図である。
【図７】第２実施形態の掃除装置が動作している状態を表す断面図である。
【発明を実施するための形態】
【００２８】
以下、添付図面を参照しながら本発明の実施の形態について説明する。理解を容易にするため、各図面において同一の構成要素に対しては可能な限り同一の符号を付し、重複する説明は省略する。
【００２９】
［第１実施形態］
まず、本発明の実施の形態の中で、第１実施形態（以下、「本実施形態」と称す。）に係るトイレ用脱臭装置について説明する。
【００３０】
＜トイレ用脱臭装置の構成＞
図１は、本実施形態に係るトイレ用脱臭装置の一例としての便座装置（衛生洗浄装置）を模式的に示す斜視図である。
【００３１】
図１に示すように、トイレ用脱臭装置の一例としての便座装置１００は、例えばトイレブース内に配置された洋式腰掛便器１１０（以下、便器１１０と称す）の後方上部に設けられている。
【００３２】
便座装置１００は、ハウジング１２２と、便座１２４と、便蓋１２６と、を備えている。
【００３３】
ハウジング１２２は箱体をしており、このハウジング１２２の内部には、便器１１０のボウル１１２内の空気を吸い込み、フィルタや触媒などを介して臭気成分を低減させる脱臭装置２１０（図２参照）が内蔵されている。この脱臭装置２１０については、後に詳述する。便座１２４及び便蓋１２６は、ハウジング１２２に対して開閉自在にそれぞれ軸支されている。但し、便蓋１２６は、必ずしも設けられていなくてもよい。
【００３４】
ハウジング１２２の内部には、衛生洗浄機能や局部乾燥機能や便座暖房機能などが設けられてもよい。衛生洗浄機能は、便座１２４に座った使用者の「おしり」などを洗浄する洗浄動作を行う機能である。局部乾燥機能は、便座１２４に座った使用者の「おしり」などに温風を吹き付けることにより、衛生洗浄によって濡れた「おしり」などを乾燥させる乾燥動作を行う機能である。便座暖房機能は、便座１２４の着座面を適温に温める便座加熱動作を行う機能である。但し、衛生洗浄機能や局部乾燥機能や便座暖房機能などは、必ずしも設けられなくてもよい。
【００３５】
図２は、本実施形態にかかるトイレ用脱臭装置において、ハウジング１２２の内部構造を例示する斜視図である。また、図３は、本実施形態のハウジング１２２の内部における要部構成を例示するブロック図である。
【００３６】
本実施形態のハウジング１２２の内部には、図２に示した矢印Ｂのように、便器１１０のボウル１１２内の臭気を吸引し脱臭する脱臭装置２１０が設けられている。脱臭装置２１０は、ボウル１１２の内部と外部とを連通する脱臭風路２１１ａ、２１１ｂと、ボウル１１２内の臭気を吸引する吸気ファン２１３と、吸気ファン２１３により吸引された空気から臭気成分を除去する脱臭触媒２１７と、を有する。吸気ファン２１３は脱臭風路２１１ａ、２１１ｂの途中に設けられている。脱臭風路２１１ａの風路上流側にハウジング１２２の吸気口２０５が設けられており、脱臭風路２１１ｂの風路下流側にハウジング１２２の排気口２０６が設けられている。
【００３７】
図４は、本実施形態のフィルタを掃除しているときの状態を表す断面模式図である。なお、図４は、図２に表した切断面Ａ−Ａにおける断面模式図である。
【００３８】
本実施形態の脱臭風路２１１ａの内部には、図４に示したように、トイレットペーパーや衣類などを由来とした粉塵が吸気ファン２１３へ吸引されることを抑制するフィルタ２１５を有する。フィルタ２１５は、吸気ファン２１３よりもボウル１１２側に設けられている。また、フィルタ２１５はロール状となっており、フィルタ２１５の内側の端にギヤ２３０、反対の端にプーリー２３１を有し、ギヤ２３０を制御することによって、フィルタ２１５を回転方向に移動させる。フィルタ２１５は、ギヤ２３０においてハウジング１２２に軸支され、例えばモータ２３７などを有する駆動部から伝達される駆動力によりギヤ２３０とプーリー２３１の間の中心回りに回動可能（自転可能）である。そのため、フィルタ２１５は、ギヤ２３０を中心として回動できる。このとき、制御部２８０は、モータ２３７の動作を制御できる。
【００３９】
フィルタ２１５をプーリー２３１と掃除装置２３２で挟みこみ、且つ掃除装置２３２はフィルタ２１５の回転中心よりも下方に位置し、フィルタ２１５に付着した粉塵を掃除装置２３２でこそぎ取る。風の流れの方向により、フィルタ２１５には吸気側かつロール状の外側に粉塵が付きやすい。この構成によれば、吸気側のフィルタは掃除装置２３２を通るときに粉塵がこそぎ落とされ、フィルタ２１５に粉塵が付いていない状態となって排気側に移動していく。これにより、付着した粉塵が吸気ファンに吸い込まれることを防ぐことができる。
【００４０】
また、ハウジング１２２の内部には、脱臭装置２１０のフィルタ２１５に向けて水を噴射する水供給部２２０が設けられている。水供給部２２０は、配水管２２１を有し、この配水管２２１を通して、フィルタ２１５に向けて水を噴射することができる。
【００４１】
なお、ハウジング１２２の内部には、図２に表したように、便座１２４に座った使用者の「おしり」などの洗浄を実現する局部洗浄装置２５０が設けられていてもよい。そして、ハウジング１２２の内部には制御部２８０が設けられ、この制御部２８０は、脱臭装置２１０と、水供給部２２０と、フィルタを移動させるギヤ２３０と、局部洗浄装置２５０と、の動作を制御することができる。
【００４２】
ハウジング１２２の底面には、図４に表したように、ボウル１１２内の空気が脱臭装置２１０へ吸引される吸気口２０５が設けられている。そして、脱臭装置２１０のフィルタ２１５の設置位置は、これだけに限定されず、吸引口２０５よりも下流側、すなわち吸気口２０５よりも吸気ファン２１３側であってもよい。
【００４３】
また、ハウジング１２２の底面の、吸気口２０５の右側もしくは左側に、閉塞可能なダンパー２３４が設けられている。ダンパー２３４は、軸２３５においてハウジング１２２に軸支され、例えばモータ２３６などを有する開閉駆動部から伝達される駆動力により軸２３５を中心として回動可能である。そのため、ダンパー２３４は、軸２３５を中心として回動することによりダンパー２３４を開閉できる。このとき、制御部２８０は、モータ２３６の動作を制御できる。
【００４４】
ここで、フィルタ２１５は、トイレットペーパーや衣類などを由来とした粉塵が吸気ファン２１３へ吸引されることを抑制できるが、その粉塵がフィルタ２１５に付着し堆積すると、フィルタ２１５の目詰まりが発生するおそれがある。また、ボウル１１２の表面において跳ねた小水や、使用者の用便により跳ねたボウル１１２内の封水がフィルタ２１５に付着すると、粉塵がフィルタ２１５に付着し堆積しやすくなり、フィルタ２１５の目詰まりが発生しやすくなる。フィルタ２１５の目詰まりが発生すると、脱臭装置２１０の吸引ファン２１３は、ボウル１１２内の空気を吸引できなくなったり、空気を吸引しにくくなったりするおそれがある。そうすると、脱臭装置２１０の性能が低下するおそれがある。
【００４５】
これに対して、本実施形態にかかるトイレ用脱臭装置では、フィルタ２１５が回動し、掃除装置２３２によってフィルタ２１５に付着した粉塵をこそぎ取ることができる。これによれば、粉塵がフィルタ２１５に付着することにより脱臭装置２１０の脱臭性能が低下するという課題を解決することができ、長期間に渡って脱臭性能を持続させることができる。
【００４６】
なお、本願明細書において「水」という場合には、冷水のみならず、加熱されたお湯も含むものとする。そして、水供給部２２０により噴射する水として加熱されたお湯を使用する場合には、フィルタ２１５を洗浄する際の洗浄力を向上させることができる。これにより、フィルタ２１５の洗浄時間を短縮することができ、水供給部２２０によるフィルタ２１５の洗浄動作を効率的に行うことができる。
【００４７】
ここで、吸気ファン２１３が動作している状態において、水供給部２２０がフィルタ２１５に向けて水を噴射すると、その水は、吸気ファン２１３の制御基板に付着し、吸気ファン２１３が動作できなくなるおそれがある。
【００４８】
これに対して、本実施形態のトイレ用脱臭装置では、図４に表したように、水供給部２２０がフィルタ２１５に向けて水を噴射するときには、制御部２８０は、吸気ファン２１３の動作を制御することにより、吸気ファン２１３を停止させる。そのため、水供給部２２０から噴射された水は、吸気ファンに入ることを抑制される。これによれば、フィルタ２１５に水を噴射することによる生ずる課題を解決することができ、フィルタ２１５の自動清掃を行うことができる。
【００４９】
掃除装置２３２によってフィルタ２１５に付着した粉塵をこそぎ取った後、こそぎ取った粉塵は便器１１０内に落下する。図４に表したように、掃除装置２３２の下にダンパー２３４を設けることにより、掃除装置２３２でこそぎ取った粉塵を閉じているダンパー２３４に貯蔵し、粉塵がボウル１１２内を舞うことが無く、粉塵を一塊にした状態でダンパーを開いて便器１１０内に落とすことができる。
【００５０】
ここで、図３に表したように、本実施形態のトイレ用脱臭装置では、便器１１０を洗浄するための便器洗浄装置２５３を設けており、制御部２８０にて制御する。粉塵貯蔵装置２３８のモータ２３６が動作した後に、便器洗浄装置２５３を動作するように制御部２８０にて制御することにより、掃除装置２３２でこそぎ取った粉塵を便器内から除去することができる。この構成によれば、使用者がトイレを使用する際に、ボウル内に粉塵が落ちている状態を防ぐことができる。
【００５１】
また、ハウジング１２２の内部には、衛生洗浄機能が設けられており、水を噴射するノズル２５１と、モータ２５２によりノズル２５１を移動させ、便座１２４に座った使用者の「おしり」などを洗浄する。このモータ２５２に連動させ、ダンパー２３４を動作させることもできる。この構成によれば、ダンパー２３４の移動手段としてモータ２３６を新たに設けることなく、ダンパー２３４を動作することができる。
【００５２】
［第２実施形態］
次に、本発明の実施の形態の中で、第２実施形態に係るトイレ用脱臭装置について説明する。
【００５３】
図５は、第２実施形態にかかるトイレ用脱臭装置のハウジング１２２の内部における要部構成を例示するブロック図である。図６は、第２実施形態の吸気ファン２１３が動作している時の状態を表す断面模式図である。図７は、第２実施形態のフィルタ２１５を掃除している時の状態を表す断面模式図である。なお、図６、７は、図２に表した切断面Ａ−Ａにおける断面模式図である。
【００５４】
第２実施形態にかかるトイレ用脱臭装置は、図５、６、７に表したように、図２に関して前述したトイレ用脱臭装置に対して、フィルタ２１５を固定し掃除装置２３２を移動させる。また、フィルタ２１５の両端に、粉塵除去装置２３９をさらに備える。
【００５５】
ここで、第２実施形態にかかるトイレ用脱臭装置では、掃除装置２３２はフィルタ２１５を上下で挟み込み、上下連動してフィルタ２１５に対して左右に移動し、フィルタ２１５に付着した粉塵を掃除装置２３２でこそぎ取る。また、掃除装置２３２が動作に連動して、粉塵除去装置２３９が上下に動作する。図６に表したように、吸気ファン２１３が動作している間は、掃除装置２３２は粉塵除去装置２３９を挟み込む位置で待機することにより、フィルタ２１５の開口範囲を狭くすることなく、フィルタ２１５の全範囲で吸気することができる。
【００５６】
図７に表したように、掃除装置２３２が動作するときは、吸気ファン２１３は動作しないように制御部２８０で制御し、掃除装置２３２で集めた粉塵を吸気ファン２１３で吸い込まないようにすることができる。掃除装置２３２と連動して、左右の粉塵除去装置２３９が上に上がる。掃除装置２３２が端に到着するタイミングで粉塵除去装置２３９が下に移動し、掃除装置２３２で集めた粉塵をボウル１１２内に落とす。
【００５７】
これによれば、フィルタ２１５の表裏両側に掃除装置２３２を接することにより、これまで掃除できなかったフィルタ２１５の裏面を掃除することができる。
【００５８】
［変形例］
以上、本願の開示する技術の実施形態について説明したが、本願の開示する技術は、上記に限定されるものではない。
【００５９】
例えば、フィルタ２１５を移動させて掃除装置２３２を固定させる場合を説明したが、フィルタ２１５を固定し掃除装置２３２を移動させてもよい。
【００６０】
例えば、図４及び図６にて、掃除装置２３２はスポンジであることを表したが、ブラシでもよい。
【００６１】
脱臭装置２１０が便座装置１００内に内蔵されている場合を説明したが、便座装置１００に外付けされてもよいし、便座装置１００と別体であってもよい。
また、フィルタ２１５又は掃除装置２３２の移動手段としてモータ２３７を説明したが、モータ２３７を省略して、ノズル２５１の移動及びノズル２５１の移動機構（例えばモータ２５２）の何れか一方を利用して、フィルタ２１５及び掃除装置２３２の少なくとも一方を、他方に対して移動するようにしてもよい。
【００６２】
また、便座装置１００に水供給部２２０を設ける場合を説明したが、水供給部２２０を省略してもよい。また、水供給部２２０が掃除装置２３９の代わりとなり得るので、水供給部２２０を設ける場合には、掃除装置２３９を省略してもよい。
なお、脱臭の詳細については、上記では説明していないが、脱臭剤を排気口２０６よりも上流側に設けてもよいし、水供給部２２０の水を殺菌水に変更して、殺菌水を利用して、掃除だけでなく、フィルタ２１５を殺菌水で保持し、汚臭がフィルタ２１５を通過する際に、脱臭してもよい。
【００６３】
また、前述した各実施の形態が備える各要素は、技術的に可能な限りにおいて組み合わせることができ、これらを組み合わせたものも本発明の特徴を含む限り本発明の範囲に包含される。
【符号の説明】
【００６４】
１００…便座装置（トイレ用脱臭装置、衛生洗浄装置）
１１０…洋風腰掛便器（便器）
１１２…ボウル
１２２…ハウジング
１２４…便座
１２６…便蓋
２０５…吸気口
２０６…排気口
２１０…脱臭装置
２１１ａ、ｂ…脱臭風路
２１３…吸気ファン
２１５…フィルタ
２１７…触媒
２２０…水供給部
２２１…配水管
２３０…ギヤ
２３２…掃除装置（掃除手段）
２３４…ダンパー
２３５…軸
２３６…モータ
２３７…モータ（移動手段）
２３８…粉塵貯蔵装置
２３９…粉塵除去装置
２５０…局部洗浄装置
２５１…ノズル
２５２…モータ（移動機構）
２５３…便器洗浄装置
２８０…制御部
【図１】
2016151089.tif 000003
【図２】
2016151089.tif 000004
【図３】
2016151089.tif 000005
【図４】
2016151089.tif 000006
【図５】
2016151089.tif 000007
【図６】
2016151089.tif 000008
【図７】
2016151089.tif 000009